(57)【要約】      （修正有）【課題】ノートパソコンをデスクの下方に固定でき、ディスプレイスクリーンとの連結が便利なノートパソコン用棚を提供する。【解決手段】外殻１０を含み、前記外殻の中には左方へ開口した内チャンバ１２が設置され、前記外殻の前端面と前記内チャンバの後側壁との間にはフィルター溝１９が設置され、前記フィルター溝の中にはフィルターカバー３０が嵌められるように連結され、前記フィルターカバーの中には第一フィルターが設置され、前記フィルターカバーの右端面にはハンドルが設置され、前記内チャンバの底壁にはノートパソコンを置く二つの底ブロックが設置され、前記外殻の底部端面には放熱外殻２６が設置され、前記放熱外殻の中には前記ノートパソコンの放熱を補助する放熱部品９０１が設置され、前記内チャンバの前側壁には前方に開口した調節溝が設置され、前記調節溝の中には前記ノートパソコンを始動するスイッチ部品が設置される。【選択図】図１
2020181552.tif 000002
【特許請求の範囲】
【請求項１】
正面視で、外殻を含み、前記外殻の中には左方へ開口した内チャンバが設置され、前記外殻の前端面と前記内チャンバの後側壁との間にはフィルター溝が設置され、前記フィルター溝の中にはフィルターカバーが嵌められるように連結され、前記フィルターカバーの中には第一フィルターが設置され、前記フィルターカバーの右端面にはハンドルが設置され、前記内チャンバの底壁にはノートパソコンを置く二つの底ブロックが設置され、前記外殻の底部端面には放熱外殻が設置され、前記放熱外殻の中には前記ノートパソコンの放熱を補助する放熱部品が設置され、前記内チャンバの前側壁には前方に開口した調節溝が設置され、前記調節溝の中には前記ノートパソコンを始動するスイッチ部品が設置され、前記外殻には前記外殻を固定する固定部品が設置され、前記外殻の頂部端面にはＵＳＢアダプタブロックが設置され、前記ＵＳＢアダプタブロックがＵＳＢケーブルを通して前記ノートパソコンと連結され、前記外殻の頂部端面には電源外殻が設置され、前記電源外殻の中には前記ノートパソコンのアダプタが置かれ、前記内チャンバの前側壁には前記ノートパソコンを閉じることを防止するディスプレイスクリーン止めブロックが設置され、前記内チャンバの右側壁には右方に開口した抜き穴が設置され、前記抜き穴のところには前記ノートパソコンと連結されたＨＤＭＩ（登録商標）ケーブルを通すことができることを特徴とするノートパソコン用棚。
【請求項２】
前記放熱部品は前記放熱外殻の中に位置しており、また前記内チャンバと連通しているファンチャンバを含み、前記ファンチャンバの上下壁には四つの環状の第二フィルターが設置され、前記ファンチャンバの底壁には左右対称のファン基台が設置され、前記ファン基台の中にはファン軸が回転できるように取り付けられ、前記ファン軸が前記ファンチャンバの頂壁と回転できるように連結され、前記ファン軸にはベルト輪が設置され、前記ファンチャンバの中間の頂壁にはモーターが設置され、前記モーターの下向きの出力軸には第一ギヤが設置され、前記ファンチャンバの上下壁の間には左右対称の伝動輪が回転できるように取り付けられ、前記第一ギヤが前記伝動輪と噛み合っており、前記伝動輪と前記ベルト輪との間がベルトによって連結され、それによって前記モーターが始動されて前記第一ギヤを回転連動させ、前記第一ギヤが前記ベルト輪と前記ファン軸とを回転連動させることを特徴とする請求項１に記載のノートパソコン用棚。
【請求項３】
前記スイッチ部品は前記調節溝の上下壁に位置している前後対称の位置制限板を含み、前後両側の前記位置制限板の間にはスライドブロックがスライドできるように取り付けられ、上下の前記スライドブロックの間にはボールブロックが設置され、前記ボールブロックの中には球体が回転できるように取り付けられ、前記球体の後側端面には従動ロッドが設置され、前記従動ロッドの底部端面には押しヘッドが設置され、前記球体の前端面には回しロッドが設置され、上下両側の前記スライドブロックのうち前記球体から離れている片側の端面にはラックが設置され、前記調節溝の上下壁の中には上下対称のギヤ溝が連通するように設置され、前記ギヤ溝の中には第二ギヤが回転できるように取り付けられ、前記第二ギヤと前記ギヤ溝の内壁との間がゴムパッドを通して連結されて摩擦力を増やし、前記第二ギヤが前記ラックと噛み合っており、前記回しロッドと前記調節溝の頂壁との間には圧縮ばねが設置され、前記回しロッドと前記調節溝の底壁との間には張力ばねが設置され、前記外殻の前端面が前記調節溝の前側の開口したところの上方に位置しているところには目盛りがつけられ、それによって前記回しロッドを握って前記ボールブロックと前記スライドブロックとを連動させて前記調節溝の中で左右に移動させ、上方へ前記回しロッドを回して前記押しヘッドを連動させて前記ノートパソコンのスイッチを押すことを特徴とする請求項１に記載のノートパソコン用棚。
【請求項４】
前記固定部品は前記外殻の上端面に位置している固定柱を含み、前記固定柱の中には方形スライドブロックがスライドできるように取り付けられ、前記外殻の底部端面には位置制限ブロックが設置され、前記位置制限ブロックの中にはねじ軸が回転できるように取り付けられ、前記ねじ軸が前記方形スライドブロックとネジ山によって嵌合され、前記ねじ軸には回転リングが設置され、前記回転リングが前記位置制限ブロックと回転できるように連結され、前記ねじ軸の底部端面には回転ヘッドが設置され、前記方形スライドブロックの左側端面には上挟み板が設置され、前記固定柱の左側端面には下挟み板が設置され、それによって前記外殻を取り付ける時、前記回転ヘッドを回転させて前記ねじ軸を回転連動させ、前記ねじ軸がねじ山による嵌合を通して前記方形スライドブロックを上下に移動連動させ、デスクを前記上挟み板と前記下挟み板との間に挟むことを特徴とする請求項１に記載のノートパソコン用棚。
【発明の詳細な説明】
【技術分野】
【０００１】
本発明はノートパソコン付属品分野に関わり、具体的にはノートパソコン用棚である。
【背景技術】
【０００２】
ノートパソコンは携帯しやすくて使用も便利であり、しかし、ノートパソコンのディスプレイスクリーンの大きさが足りなく、又は他の使用ニーズがあるため、外部ディスプレイスクリーンを接続することを選んだ人がいるが、そうしたらディスプレイスクリーンとノートパソコンとが占用する空間が大いに増え、また線路が更に乱れ、既存技術にはノートパソコンを置いてデスクの空間を占めなく、線路をきれいに整理できる棚が欠ける。
【先行技術文献】
【特許文献】
【０００３】
【特許文献１】中国特許出願公開第１０５６０７６９７号明細書
【発明の概要】
【発明が解決しようとする課題】
【０００４】
本発明の目的はノートパソコン用棚を提供し、上記背景技術に提出される問題を解決する。
【課題を解決するための手段】
【０００５】
ノートパソコン用棚であって、外殻を含み、前記外殻の中には左方へ開口した内チャンバが設置され、前記外殻の前端面と前記内チャンバの後側壁との間にはフィルター溝が設置され、前記フィルター溝の中にはフィルターカバーが嵌められるように連結され、前記フィルターカバーの中には第一フィルターが設置され、前記フィルターカバーの右端面にはハンドルが設置され、前記内チャンバの底壁にはノートパソコンを置く二つの底ブロックが設置され、前記外殻の底部端面には放熱外殻が設置され、前記放熱外殻の中には前記ノートパソコンの放熱を補助する放熱部品が設置され、前記内チャンバの前側壁には前方に開口した調節溝が設置され、前記調節溝の中には前記ノートパソコンを始動するスイッチ部品が設置され、前記外殻には前記外殻を固定する固定部品が設置され、前記外殻の頂部端面にはＵＳＢアダプタブロックが設置され、前記ＵＳＢアダプタブロックがＵＳＢケーブルを通して前記ノートパソコンと連結され、前記外殻の頂部端面には電源外殻が設置され、前記電源外殻の中には前記ノートパソコンのアダプタが置かれ、前記内チャンバの前側壁には前記ノートパソコンを閉じることを防止するディスプレイスクリーン止めブロックが設置され、前記内チャンバの右側壁には右方に開口した抜き穴が設置され、前記抜き穴のところには前記ノートパソコンと連結されたＨＤＭＩ（登録商標）ケーブルを通すことができる。
【０００６】
更なる技術方案、前記放熱部品は前記放熱外殻の中に位置しており、また前記内チャンバと連通しているファンチャンバを含み、前記ファンチャンバの上下壁には四つの環状の第二フィルターが設置され、前記ファンチャンバの底壁には左右対称のファン基台が設置され、前記ファン基台の中にはファン軸が回転できるように取り付けられ、前記ファン軸が前記ファンチャンバの頂壁と回転できるように連結され、前記ファン軸にはベルト輪が設置され、前記ファンチャンバの中間の頂壁にはモーターが設置され、前記モーターの下向きの出力軸には第一ギヤが設置され、前記ファンチャンバの上下壁の間には左右対称の伝動輪が回転できるように取り付けられ、前記第一ギヤが前記伝動輪と噛み合っており、前記伝動輪と前記ベルト輪との間がベルトによって連結されている。
【０００７】
更なる技術方案、前記スイッチ部品は前記調節溝の上下壁に位置している前後対称の位置制限板を含み、前後両側の前記位置制限板の間にはスライドブロックがスライドできるように取り付けられ、上下の前記スライドブロックの間にはボールブロックが設置され、前記ボールブロックの中には球体が回転できるように取り付けられ、前記球体の後側端面には従動ロッドが設置され、前記従動ロッドの底部端面には押しヘッドが設置され、前記球体の前端面には回しロッドが設置され、上下両側の前記スライドブロックのうち前記球体から離れている片側の端面にはラックが設置され、前記調節溝の上下壁の中には上下対称のギヤ溝が連通するように設置され、前記ギヤ溝の中には第二ギヤが回転できるように取り付けられ、前記第二ギヤと前記ギヤ溝の内壁との間がゴムパッドを通して連結されて摩擦力を増やし、前記第二ギヤが前記ラックと噛み合っており、前記回しロッドと前記調節溝の頂壁との間には圧縮ばねが設置され、前記回しロッドと前記調節溝の底壁との間には張力ばねが設置され、前記外殻の前端面が前記調節溝の前側の開口したところの上方に位置しているところには目盛りがつけられている。
【０００８】
更なる技術方案、前記固定部品は前記外殻の上端面に位置している固定柱を含み、前記固定柱の中には方形スライドブロックがスライドできるように取り付けられ、前記外殻の底部端面には位置制限ブロックが設置され、前記位置制限ブロックの中にはねじ軸が回転できるように取り付けられ、前記ねじ軸が前記方形スライドブロックとネジ山によって嵌合され、前記ねじ軸には回転リングが設置され、前記回転リングが前記位置制限ブロックと回転できるように連結され、前記ねじ軸の底部端面には回転ヘッドが設置され、前記方形スライドブロックの左側端面には上挟み板が設置され、前記固定柱の左側端面には下挟み板が設置されている。
【発明の効果】
【０００９】
本発明の有益な効果は：本発明は構造が簡単で、操作が便利であり、ノートパソコンをデスクの下方に固定でき、ディスプレイスクリーンとの連結が便利で、線路が整然で、防塵能力が充分であり、スイッチ部品はノートパソコンのスイッチの位置によって調節されることができ、回しロッドを回せばノートパソコンが起動でき、普及の価値がある。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のノートパソコン用棚の全体構造略図
【図２】図２は図１の中のＡ方向の構造略図
【図３】図３は図１の中のＢ―Ｂ方向の断面構造略図
【図４】図４は放熱外殻の中の構造略図
【図５】図５は図３の中のＣのところの拡大略図
【図６】図６は図５の中のＤ―Ｄ方向の断面構造略図
【発明を実施するための形態】
【００１２】
本説明書によって公開されるすべての特徴、或いは公開されるすべての方法或いは過程中の順序は、互いに排斥する特徴或いは順序以外、いかなる方法で組み合わせる。
【００１３】
図１〜６を参考し、本発明の実施例のノートパソコン用棚は、外殻１０を含み、前記外殻１０の中には左方へ開口した内チャンバ１２が設置され、前記外殻１０の前端面と前記内チャンバ１２の後側壁との間にはフィルター溝１９が設置され、前記フィルター溝１９の中にはフィルターカバー３０が嵌められるように連結され、前記フィルターカバー３０の中には第一フィルター３１が設置され、前記フィルターカバー３０の右端面にはハンドル３２が設置され、前記内チャンバ１２の底壁にはノートパソコン８０を置く二つの底ブロック３９が設置され、前記外殻１０の底部端面には放熱外殻２６が設置され、前記放熱外殻２６の中には前記ノートパソコン８０の放熱を補助する放熱部品９０１が設置され、前記内チャンバ１２の前側壁には前方に開口した調節溝５３が設置され、前記調節溝５３の中には前記ノートパソコン８０を始動するスイッチ部品９０２が設置され、前記外殻１０には前記外殻１０を固定する固定部品９０３が設置され、前記外殻１０の頂部端面にはＵＳＢアダプタブロック１３が設置され、前記ＵＳＢアダプタブロック１３がＵＳＢケーブルを通して前記ノートパソコン８０と連結され、前記外殻１０の頂部端面には電源外殻１４が設置され、前記電源外殻１４の中には前記ノートパソコン８０のアダプタが置かれ、前記内チャンバ１２の前側壁には前記ノートパソコン８０を閉じることを防止するディスプレイスクリーン止めブロック２９が設置され、前記内チャンバ１２の右側壁には右方に開口した抜き穴２２が設置され、前記抜き穴２２のところには前記ノートパソコン８０と連結されたＨＤＭＩ（登録商標）ケーブルを通すことができる。
【００１４】
前記放熱部品９０１は前記放熱外殻２６の中に位置しており、また前記内チャンバ１２と連通しているファンチャンバ２７を含み、前記ファンチャンバ２７の上下壁には四つの環状の第二フィルター２８が設置され、前記ファンチャンバ２７の底壁には左右対称のファン基台３６が設置され、前記ファン基台３６の中にはファン軸３７が回転できるように取り付けられ、前記ファン軸３７が前記ファンチャンバ２７の頂壁と回転できるように連結され、前記ファン軸３７にはベルト輪３８が設置され、前記ファンチャンバ２７の中間の頂壁にはモーター４０が設置され、前記モーター４０の下向きの出力軸には第一ギヤ４１が設置され、前記ファンチャンバ２７の上下壁の間には左右対称の伝動輪４２が回転できるように取り付けられ、前記第一ギヤ４１が前記伝動輪４２と噛み合っており、前記伝動輪４２と前記ベルト輪３８との間がベルトによって連結され、それによってモーター４０が始動されて第一ギヤ４１を回転連動させ、第一ギヤ４１がベルト輪３８とファン軸３７とを回転連動させ、放熱し始める。
【００１５】
前記スイッチ部品９０２は前記調節溝５３の上下壁に位置している前後対称の位置制限板４５を含み、前後両側の前記位置制限板４５の間にはスライドブロック４８がスライドできるように取り付けられ、上下の前記スライドブロック４８の間にはボールブロック５１が設置され、前記ボールブロック５１の中には球体５２が回転できるように取り付けられ、前記球体５２の後側端面には従動ロッド３３が設置され、前記従動ロッド３３の底部端面には押しヘッド３４が設置され、前記球体５２の前端面には回しロッド４６が設置され、上下両側の前記スライドブロック４８のうち前記球体５２から離れている片側の端面にはラック５０が設置され、前記調節溝５３の上下壁の中には上下対称のギヤ溝４３が連通するように設置され、前記ギヤ溝４３の中には第二ギヤ４４が回転できるように取り付けられ、前記第二ギヤ４４と前記ギヤ溝４３の内壁との間がゴムパッド８２を通して連結されて摩擦力を増やし、前記第二ギヤ４４が前記ラック５０と噛み合っており、前記回しロッド４６と前記調節溝５３の頂壁との間には圧縮ばね４９が設置され、前記回しロッド４６と前記調節溝５３の底壁との間には張力ばね４７が設置され、前記外殻１０の前端面が前記調節溝５３の前側の開口したところの上方に位置しているところには目盛り８３がつけられ、それによって回しロッド４６を握ってボールブロック５１とスライドブロック４８とを連動させて調節溝５３の中で左右に移動させ、上方へ回しロッド４６を回して押しヘッド３４を連動させて前記ノートパソコン８０のスイッチを押す。
【００１６】
前記固定部品９０３は前記外殻１０の上端面に位置している固定柱２０を含み、前記固定柱２０の中には方形スライドブロック１６がスライドできるように取り付けられ、前記外殻１０の底部端面には位置制限ブロック２５が設置され、前記位置制限ブロック２５の中にはねじ軸２１が回転できるように取り付けられ、前記ねじ軸２１が前記方形スライドブロック１６とネジ山によって嵌合され、前記ねじ軸２１には回転リング２３が設置され、前記回転リング２３が前記位置制限ブロック２５と回転できるように連結され、前記ねじ軸２１の底部端面には回転ヘッド２４が設置され、前記方形スライドブロック１６の左側端面には上挟み板１５が設置され、前記固定柱２０の左側端面には下挟み板１７が設置され、それによって外殻１０を取り付ける時、回転ヘッド２４を回転させてねじ軸２１を回転連動させ、ねじ軸２１がねじ山による嵌合を通して方形スライドブロック１６を上下に移動連動させ、デスクを上挟み板１５と下挟み板１７との間に挟む。
【００１７】
取り付ける時、ノートパソコン８０を底ブロック３９に置き、ノートパソコン８０のディスプレイスクリーンをディスプレイスクリーン止め板２９に置き、フィルターカバー３０をフィルター溝１９の中に挿入し、ＨＤＭＩ（登録商標）ケーブルを抜き穴２２を通してノートパソコン８０と連結し、電源アダプタを電源外殻１４の中に詰め、またノートパソコン８０と通電できるようにに連結し、ＵＳＢアダプタブロック１３がＵＳＢケーブルを通してノートパソコン８０と連結され、マウスとキーボードなどをＵＳＢアダプタブロック１３と連結し、そして回転ヘッド２４を回転させてねじ軸２１を回転連動させ、ねじ軸２１がねじ山による嵌合を通して方形スライドブロック１６を上方へ移動連動させ、デスクを上挟み板１５と下挟み板１７との間に挟み、そして回転ヘッド２４を回転させて方形スライドブロック１６を下方へ移動させ、上挟み板１５と下挟み板１７とを通してデスクを挟む。
【００１８】
モーター４０が起動して第一ギヤ４１が回転し始め、第一ギヤ４１が噛み合いによって伝動輪４２を回転連動させ、伝動輪４２がベルトによる伝動を通してベルト輪３８とファン軸３７とを回転連動させ、ファン軸３７が回転した後に内チャンバ１２の中のノートパソコン８０の放熱を補助し始め、第一ギヤ４１の直径が伝動輪４２のより大きく、伝動輪４２の直径はベルト輪３８のより大きく、それによってファン軸３７の回転速度が大いに高められる。
【００１９】
回しロッド４６を握ってボールブロック５１とスライドブロック４８とを調節溝５３の中で左右に移動連動させ、第二ギヤ４４とギヤ溝４３の内壁との間の摩擦によってボールブロック５１が移動しにくくなり、圧縮ばね４９と張力ばね４７との作用の下で従動ロッド３３と回しロッド４６とが水平の位置に維持し、ノートパソコン８０の前後位置を調節し、スイッチを押しヘッド３４の位置と合わせ、ノートパソコンを起動させる時、上方へ回しロッド４６を回して球体５２と従動ロッド３３とを連動させて下方へ回し、従動ロッド３３が押しヘッド３４を連動させてノートパソコン８０のスイッチを押して起動を完成し、不注意でスイッチ部品９０２に触ってスイッチ部品９０２の位置が変わったら、回しロッド４６を握ってスイッチ部品９０２をさっき調節し終わった時に対応する目盛り８３の位置に移動させればよい。
【００２０】
本発明の有益な効果は：本発明は構造が簡単で、操作が便利であり、ノートパソコンをデスクの下方に固定でき、ディスプレイスクリーンとの連結が便利で、線路が整然で、防塵能力が充分であり、スイッチ部品はノートパソコンのスイッチの位置によって調節されることができ、回しロッドを回せばノートパソコンが起動でき、普及の価値がある。
【００２１】
本分野の技術者は、本発明の総体的な精神及び構想を脱しない場合、以上の実施例に対して様々な変形を行うことができるということを明らかにできる。それらは全部本発明の保護範囲にカバーされる。本発明の保護策は本発明に添付した権利要求書を基準とするべきである。
【図１】
2020181552.tif 000003
【図２】
2020181552.tif 000004
【図３】
2020181552.tif 000005
【図４】
2020181552.tif 000006
【図５】
2020181552.tif 000007
【図６】
2020181552.tif 000008
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
正面視で、外殻を含み、前記外殻の中には左方へ開口した内チャンバが設置され、前記外殻の前端面と前記内チャンバの後側壁との間にはフィルター溝が設置され、前記フィルター溝の中にはフィルターカバーが嵌められるように連結され、前記フィルターカバーの中には第一フィルターが設置され、前記フィルターカバーの前端面にはハンドルが設置され、前記内チャンバの底壁にはノートパソコンを置く二つの底ブロックが設置され、前記外殻の底部端面には放熱外殻が設置され、前記放熱外殻の中には前記ノートパソコンの放熱を補助する放熱部品が設置され、前記内チャンバの前側壁には前方に開口した調節溝が設置され、前記調節溝の中には前記ノートパソコンを始動するスイッチ部品が設置され、前記外殻には前記外殻を固定する固定部品が設置され、前記外殻の頂部端面にはＵＳＢアダプタブロックが設置され、前記ＵＳＢアダプタブロックがＵＳＢケーブルを通して前記ノートパソコンと連結され、前記外殻の頂部端面には電源外殻が設置され、前記電源外殻の中には前記ノートパソコンのアダプタが置かれ、前記内チャンバの前側壁には前記ノートパソコンを閉じることを防止するディスプレイスクリーン止めブロックが設置され、前記内チャンバの右側壁には右方に開口した抜き穴が設置され、前記抜き穴のところには前記ノートパソコンと連結されたＨＤＭＩ（登録商標）ケーブルを通すことができることを特徴とするノートパソコン用棚。
【請求項２】
前記放熱部品は前記放熱外殻の中に位置しており、また前記内チャンバと連通しているファンチャンバを含み、前記ファンチャンバの上下壁には四つの環状の第二フィルターが設置され、前記ファンチャンバの底壁には左右対称のファン基台が設置され、前記ファン基台の中にはファン軸が回転できるように取り付けられ、前記ファン軸が前記ファンチャンバの頂壁と回転できるように連結され、前記ファン軸にはベルト輪が設置され、前記ファンチャンバの中間の頂壁にはモーターが設置され、前記モーターの下向きの出力軸には第一ギヤが設置され、前記ファンチャンバの上下壁の間には左右対称の伝動輪が回転できるように取り付けられ、前記第一ギヤが前記伝動輪と噛み合っており、前記伝動輪と前記ベルト輪との間がベルトによって連結され、それによって前記モーターが始動されて前記第一ギヤを回転連動させ、前記第一ギヤが前記ベルト輪と前記ファン軸とを回転連動させることを特徴とする請求項１に記載のノートパソコン用棚。
【請求項３】
前記スイッチ部品は前記調節溝の上下壁に位置している前後対称の位置制限板を含み、前後両側の前記位置制限板の間にはスライドブロックがスライドできるように取り付けられ、上下の前記スライドブロックの間にはボールブロックが設置され、前記ボールブロックの中には球体が回転できるように取り付けられ、前記球体の後側端面には従動ロッドが設置され、前記従動ロッドの底部端面には押しヘッドが設置され、前記球体の前端面には回しロッドが設置され、上下両側の前記スライドブロックのうち前記球体から離れている片側の端面にはラックが設置され、前記調節溝の上下壁の中には上下対称のギヤ溝が連通するように設置され、前記ギヤ溝の中には第二ギヤが回転できるように取り付けられ、前記第二ギヤと前記ギヤ溝の内壁との間がゴムパッドを通して連結されて摩擦力を増やし、前記第二ギヤが前記ラックと噛み合っており、前記回しロッドと前記調節溝の頂壁との間には圧縮ばねが設置され、前記回しロッドと前記調節溝の底壁との間には張力ばねが設置され、前記外殻の前端面が前記調節溝の前側の開口したところの上方に位置しているところには目盛りがつけられ、それによって前記回しロッドを握って前記ボールブロックと前記スライドブロックとを連動させて前記調節溝の中で左右に移動させ、上方へ前記回しロッドを回して前記押しヘッドを連動させて前記ノートパソコンのスイッチを押すことを特徴とする請求項１に記載のノートパソコン用棚。
【請求項４】
前記固定部品は前記外殻の上端面に位置している固定柱を含み、前記固定柱の中には方形スライドブロックがスライドできるように取り付けられ、前記外殻の底部端面には位置制限ブロックが設置され、前記位置制限ブロックの中にはねじ軸が回転できるように取り付けられ、前記ねじ軸が前記方形スライドブロックとネジ山によって嵌合され、前記ねじ軸には回転リングが設置され、前記回転リングが前記位置制限ブロックと回転できるように連結され、前記ねじ軸の底部端面には回転ヘッドが設置され、前記方形スライドブロックの左側端面には上挟み板が設置され、前記固定柱の左側端面には下挟み板が設置され、それによって前記外殻を取り付ける時、前記回転ヘッドを回転させて前記ねじ軸を回転連動させ、前記ねじ軸がねじ山による嵌合を通して前記方形スライドブロックを上下に移動連動させ、デスクを前記上挟み板と前記下挟み板との間に挟むことを特徴とする請求項１に記載のノートパソコン用棚。
【手続補正２】
【補正対象書類名】明細書
【補正対象項目名】全文
【補正方法】変更
【補正の内容】
【発明の詳細な説明】
【技術分野】
【０００１】
本発明はノートパソコン付属品分野に関わり、具体的にはノートパソコン用棚である。
【背景技術】
【０００２】
ノートパソコンは携帯しやすくて使用も便利であり、しかし、ノートパソコンのディスプレイスクリーンの大きさが足りなく、又は他の使用ニーズがあるため、外部ディスプレイスクリーンを接続することを選んだ人がいるが、そうしたらディスプレイスクリーンとノートパソコンとが占用する空間が大いに増え、また線路が更に乱れ、既存技術にはノートパソコンを置いてデスクの空間を占めなく、線路をきれいに整理できる棚が欠ける。
【先行技術文献】
【特許文献】
【０００３】
【特許文献１】中国特許出願公開第１０５６０７６９７号明細書
【発明の概要】
【発明が解決しようとする課題】
【０００４】
本発明の目的はノートパソコン用棚を提供し、上記背景技術に提出される問題を解決する。
【課題を解決するための手段】
【０００５】
ノートパソコン用棚であって、外殻を含み、前記外殻の中には左方へ開口した内チャンバが設置され、前記外殻の前端面と前記内チャンバの後側壁との間にはフィルター溝が設置され、前記フィルター溝の中にはフィルターカバーが嵌められるように連結され、前記フィルターカバーの中には第一フィルターが設置され、前記フィルターカバーの前端面にはハンドルが設置され、前記内チャンバの底壁にはノートパソコンを置く二つの底ブロックが設置され、前記外殻の底部端面には放熱外殻が設置され、前記放熱外殻の中には前記ノートパソコンの放熱を補助する放熱部品が設置され、前記内チャンバの前側壁には前方に開口した調節溝が設置され、前記調節溝の中には前記ノートパソコンを始動するスイッチ部品が設置され、前記外殻には前記外殻を固定する固定部品が設置され、前記外殻の頂部端面にはＵＳＢアダプタブロックが設置され、前記ＵＳＢアダプタブロックがＵＳＢケーブルを通して前記ノートパソコンと連結され、前記外殻の頂部端面には電源外殻が設置され、前記電源外殻の中には前記ノートパソコンのアダプタが置かれ、前記内チャンバの前側壁には前記ノートパソコンを閉じることを防止するディスプレイスクリーン止めブロックが設置され、前記内チャンバの右側壁には右方に開口した抜き穴が設置され、前記抜き穴のところには前記ノートパソコンと連結されたＨＤＭＩ（登録商標）ケーブルを通すことができる。
【０００６】
更なる技術方案、前記放熱部品は前記放熱外殻の中に位置しており、また前記内チャンバと連通しているファンチャンバを含み、前記ファンチャンバの上下壁には四つの環状の第二フィルターが設置され、前記ファンチャンバの底壁には左右対称のファン基台が設置され、前記ファン基台の中にはファン軸が回転できるように取り付けられ、前記ファン軸が前記ファンチャンバの頂壁と回転できるように連結され、前記ファン軸にはベルト輪が設置され、前記ファンチャンバの中間の頂壁にはモーターが設置され、前記モーターの下向きの出力軸には第一ギヤが設置され、前記ファンチャンバの上下壁の間には左右対称の伝動輪が回転できるように取り付けられ、前記第一ギヤが前記伝動輪と噛み合っており、前記伝動輪と前記ベルト輪との間がベルトによって連結されている。
【０００７】
更なる技術方案、前記スイッチ部品は前記調節溝の上下壁に位置している前後対称の位置制限板を含み、前後両側の前記位置制限板の間にはスライドブロックがスライドできるように取り付けられ、上下の前記スライドブロックの間にはボールブロックが設置され、前記ボールブロックの中には球体が回転できるように取り付けられ、前記球体の後側端面には従動ロッドが設置され、前記従動ロッドの底部端面には押しヘッドが設置され、前記球体の前端面には回しロッドが設置され、上下両側の前記スライドブロックのうち前記球体から離れている片側の端面にはラックが設置され、前記調節溝の上下壁の中には上下対称のギヤ溝が連通するように設置され、前記ギヤ溝の中には第二ギヤが回転できるように取り付けられ、前記第二ギヤと前記ギヤ溝の内壁との間がゴムパッドを通して連結されて摩擦力を増やし、前記第二ギヤが前記ラックと噛み合っており、前記回しロッドと前記調節溝の頂壁との間には圧縮ばねが設置され、前記回しロッドと前記調節溝の底壁との間には張力ばねが設置され、前記外殻の前端面が前記調節溝の前側の開口したところの上方に位置しているところには目盛りがつけられている。
【０００８】
更なる技術方案、前記固定部品は前記外殻の上端面に位置している固定柱を含み、前記固定柱の中には方形スライドブロックがスライドできるように取り付けられ、前記外殻の底部端面には位置制限ブロックが設置され、前記位置制限ブロックの中にはねじ軸が回転できるように取り付けられ、前記ねじ軸が前記方形スライドブロックとネジ山によって嵌合され、前記ねじ軸には回転リングが設置され、前記回転リングが前記位置制限ブロックと回転できるように連結され、前記ねじ軸の底部端面には回転ヘッドが設置され、前記方形スライドブロックの左側端面には上挟み板が設置され、前記固定柱の左側端面には下挟み板が設置されている。
【発明の効果】
【０００９】
本発明の有益な効果は：本発明は構造が簡単で、操作が便利であり、ノートパソコンをデスクの下方に固定でき、ディスプレイスクリーンとの連結が便利で、線路が整然で、防塵能力が充分であり、スイッチ部品はノートパソコンのスイッチの位置によって調節されることができ、回しロッドを回せばノートパソコンが起動でき、普及の価値がある。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明のノートパソコン用棚の全体構造略図
【図２】図２は図１の中のＡ方向の構造略図
【図３】図３は図１の中のＢ―Ｂ方向の断面構造略図
【図４】図４は放熱外殻の中の構造略図
【図５】図５は図３の中のＣのところの拡大略図
【図６】図６は図５の中のＤ―Ｄ方向の断面構造略図
【発明を実施するための形態】
【００１２】
本説明書によって公開されるすべての特徴、或いは公開されるすべての方法或いは過程中の順序は、互いに排斥する特徴或いは順序以外、いかなる方法で組み合わせる。
【００１３】
図１〜６を参考し、本発明の実施例のノートパソコン用棚は、外殻１０を含み、前記外殻１０の中には左方へ開口した内チャンバ１２が設置され、前記外殻１０の前端面と前記内チャンバ１２の後側壁との間にはフィルター溝１９が設置され、前記フィルター溝１９の中にはフィルターカバー３０が嵌められるように連結され、前記フィルターカバー３０の中には第一フィルター３１が設置され、前記フィルターカバー３０の前端面にはハンドル３２が設置され、前記内チャンバ１２の底壁にはノートパソコン８０を置く二つの底ブロック３９が設置され、前記外殻１０の底部端面には放熱外殻２６が設置され、前記放熱外殻２６の中には前記ノートパソコン８０の放熱を補助する放熱部品９０１が設置され、前記内チャンバ１２の前側壁には前方に開口した調節溝５３が設置され、前記調節溝５３の中には前記ノートパソコン８０を始動するスイッチ部品９０２が設置され、前記外殻１０には前記外殻１０を固定する固定部品９０３が設置され、前記外殻１０の頂部端面にはＵＳＢアダプタブロック１３が設置され、前記ＵＳＢアダプタブロック１３がＵＳＢケーブルを通して前記ノートパソコン８０と連結され、前記外殻１０の頂部端面には電源外殻１４が設置され、前記電源外殻１４の中には前記ノートパソコン８０のアダプタが置かれ、前記内チャンバ１２の前側壁には前記ノートパソコン８０を閉じることを防止するディスプレイスクリーン止めブロック２９が設置され、前記内チャンバ１２の右側壁には右方に開口した抜き穴２２が設置され、前記抜き穴２２のところには前記ノートパソコン８０と連結されたＨＤＭＩ（登録商標）ケーブルを通すことができる。
【００１４】
前記放熱部品９０１は前記放熱外殻２６の中に位置しており、また前記内チャンバ１２と連通しているファンチャンバ２７を含み、前記ファンチャンバ２７の上下壁には四つの環状の第二フィルター２８が設置され、前記ファンチャンバ２７の底壁には左右対称のファン基台３６が設置され、前記ファン基台３６の中にはファン軸３７が回転できるように取り付けられ、前記ファン軸３７が前記ファンチャンバ２７の頂壁と回転できるように連結され、前記ファン軸３７にはベルト輪３８が設置され、前記ファンチャンバ２７の中間の頂壁にはモーター４０が設置され、前記モーター４０の下向きの出力軸には第一ギヤ４１が設置され、前記ファンチャンバ２７の上下壁の間には左右対称の伝動輪４２が回転できるように取り付けられ、前記第一ギヤ４１が前記伝動輪４２と噛み合っており、前記伝動輪４２と前記ベルト輪３８との間がベルトによって連結され、それによってモーター４０が始動されて第一ギヤ４１を回転連動させ、第一ギヤ４１がベルト輪３８とファン軸３７とを回転連動させ、放熱し始める。
【００１５】
前記スイッチ部品９０２は前記調節溝５３の上下壁に位置している前後対称の位置制限板４５を含み、前後両側の前記位置制限板４５の間にはスライドブロック４８がスライドできるように取り付けられ、上下の前記スライドブロック４８の間にはボールブロック５１が設置され、前記ボールブロック５１の中には球体５２が回転できるように取り付けられ、前記球体５２の後側端面には従動ロッド３３が設置され、前記従動ロッド３３の底部端面には押しヘッド３４が設置され、前記球体５２の前端面には回しロッド４６が設置され、上下両側の前記スライドブロック４８のうち前記球体５２から離れている片側の端面にはラック５０が設置され、前記調節溝５３の上下壁の中には上下対称のギヤ溝４３が連通するように設置され、前記ギヤ溝４３の中には第二ギヤ４４が回転できるように取り付けられ、前記第二ギヤ４４と前記ギヤ溝４３の内壁との間がゴムパッド８２を通して連結されて摩擦力を増やし、前記第二ギヤ４４が前記ラック５０と噛み合っており、前記回しロッド４６と前記調節溝５３の頂壁との間には圧縮ばね４９が設置され、前記回しロッド４６と前記調節溝５３の底壁との間には張力ばね４７が設置され、前記外殻１０の前端面が前記調節溝５３の前側の開口したところの上方に位置しているところには目盛り８３がつけられ、それによって回しロッド４６を握ってボールブロック５１とスライドブロック４８とを連動させて調節溝５３の中で左右に移動させ、上方へ回しロッド４６を回して押しヘッド３４を連動させて前記ノートパソコン８０のスイッチを押す。
【００１６】
前記固定部品９０３は前記外殻１０の上端面に位置している固定柱２０を含み、前記固定柱２０の中には方形スライドブロック１６がスライドできるように取り付けられ、前記外殻１０の底部端面には位置制限ブロック２５が設置され、前記位置制限ブロック２５の中にはねじ軸２１が回転できるように取り付けられ、前記ねじ軸２１が前記方形スライドブロック１６とネジ山によって嵌合され、前記ねじ軸２１には回転リング２３が設置され、前記回転リング２３が前記位置制限ブロック２５と回転できるように連結され、前記ねじ軸２１の底部端面には回転ヘッド２４が設置され、前記方形スライドブロック１６の左側端面には上挟み板１５が設置され、前記固定柱２０の左側端面には下挟み板１７が設置され、それによって外殻１０を取り付ける時、回転ヘッド２４を回転させてねじ軸２１を回転連動させ、ねじ軸２１がねじ山による嵌合を通して方形スライドブロック１６を上下に移動連動させ、デスクを上挟み板１５と下挟み板１７との間に挟む。
【００１７】
取り付ける時、ノートパソコン８０を底ブロック３９に置き、ノートパソコン８０のディスプレイスクリーンをディスプレイスクリーン止め板２９に置き、フィルターカバー３０をフィルター溝１９の中に挿入し、ＨＤＭＩ（登録商標）ケーブルを抜き穴２２を通してノートパソコン８０と連結し、電源アダプタを電源外殻１４の中に詰め、またノートパソコン８０と通電できるようにに連結し、ＵＳＢアダプタブロック１３がＵＳＢケーブルを通してノートパソコン８０と連結され、マウスとキーボードなどをＵＳＢアダプタブロック１３と連結し、そして回転ヘッド２４を回転させてねじ軸２１を回転連動させ、ねじ軸２１がねじ山による嵌合を通して方形スライドブロック１６を上方へ移動連動させ、デスクを上挟み板１５と下挟み板１７との間に挟み、そして回転ヘッド２４を回転させて方形スライドブロック１６を下方へ移動させ、上挟み板１５と下挟み板１７とを通してデスクを挟む。
【００１８】
モーター４０が起動して第一ギヤ４１が回転し始め、第一ギヤ４１が噛み合いによって伝動輪４２を回転連動させ、伝動輪４２がベルトによる伝動を通してベルト輪３８とファン軸３７とを回転連動させ、ファン軸３７が回転した後に内チャンバ１２の中のノートパソコン８０の放熱を補助し始め、第一ギヤ４１の直径が伝動輪４２のより大きく、伝動輪４２の直径はベルト輪３８のより大きく、それによってファン軸３７の回転速度が大いに高められる。
【００１９】
回しロッド４６を握ってボールブロック５１とスライドブロック４８とを調節溝５３の中で左右に移動連動させ、第二ギヤ４４とギヤ溝４３の内壁との間の摩擦によってボールブロック５１が移動しにくくなり、圧縮ばね４９と張力ばね４７との作用の下で従動ロッド３３と回しロッド４６とが水平の位置に維持し、ノートパソコン８０の前後位置を調節し、スイッチを押しヘッド３４の位置と合わせ、ノートパソコンを起動させる時、上方へ回しロッド４６を回して球体５２と従動ロッド３３とを連動させて下方へ回し、従動ロッド３３が押しヘッド３４を連動させてノートパソコン８０のスイッチを押して起動を完成し、不注意でスイッチ部品９０２に触ってスイッチ部品９０２の位置が変わったら、回しロッド４６を握ってスイッチ部品９０２をさっき調節し終わった時に対応する目盛り８３の位置に移動させればよい。
【００２０】
本発明の有益な効果は：本発明は構造が簡単で、操作が便利であり、ノートパソコンをデスクの下方に固定でき、ディスプレイスクリーンとの連結が便利で、線路が整然で、防塵能力が充分であり、スイッチ部品はノートパソコンのスイッチの位置によって調節されることができ、回しロッドを回せばノートパソコンが起動でき、普及の価値がある。
【００２１】
本分野の技術者は、本発明の総体的な精神及び構想を脱しない場合、以上の実施例に対して様々な変形を行うことができるということを明らかにできる。それらは全部本発明の保護範囲にカバーされる。本発明の保護策は本発明に添付した権利要求書を基準とするべきである。